(57)【特許請求の範囲】
【請求項１】
無線ネットワークにおいて、第１のセルから第２のセルへのユーザデバイスのスイッチを制御する方法であって、
前記第２のセルのサイズに基づき閾値速度を判断する段階と、
前記ユーザデバイスの速度が前記閾値速度を満たすか否かを判断する段階と、
前記第２のセルの前記サイズがセルサイズ基準を満たすか否かを判断する段階と、
（ｉ）前記ユーザデバイスの前記速度が前記閾値速度を満たし、かつ、（ｉｉ）前記第２のセルの前記サイズが前記セルサイズ基準を満たすと判断される場合に、
前記ユーザデバイスが前記第１のセルから前記第２のセルにスイッチされることを回避する段階、または
（ｉ）前記ユーザデバイスが前記第１のセルから前記第２のセルにスイッチする確率を変化させるために、ハンドオーバパラメータまたは（ｉｉ）セル再選択パラメータの少なくとも１つを調整する段階と
を備え、
前記閾値速度は、前記第２のセルの前記サイズに応じて変化する、方法。
【請求項２】
（ｉ）前記ユーザデバイスの前記速度が前記閾値速度を満たし、かつ、（ｉｉ）前記第２のセルの前記サイズが前記セルサイズ基準を満たすと判断される場合に、前記第１のセルが前記ユーザデバイスに対してハンドオーバコマンドを発行することを回避する段階をさらに備える、請求項１に記載の方法。
【請求項３】
（ｉ）前記ユーザデバイスの前記速度が前記閾値速度を満たし、かつ、（ｉｉ）前記第２のセルの前記サイズが前記セルサイズ基準を満たすと判断される場合に、前記第１のセルが（ｉ）前記ユーザデバイスが前記第２のセルに対応するハンドオーバ測定を実行することを許容すること、または（ｉｉ）前記ユーザデバイスが前記第２のセルに対応するセル再選択測定を実行することを許容することの少なくとも１つを回避することにより、前記第１のセルが前記第１のセルから前記第２のセルへの前記ユーザデバイスのスイッチを許容することを回避する段階をさらに備える、請求項１に記載の方法。
【請求項４】
（ｉ）前記ユーザデバイスの前記速度が前記閾値速度を満たし、かつ、（ｉｉ）前記第２のセルの前記サイズが前記セルサイズ基準を満たすと判断される場合に、前記ユーザデバイスが、（ｉ）前記第２のセルをセル再選択プロシージャの一部として判断すること、（ｉｉ）セル再選択プロシージャまたはハンドオーバ関連プロシージャの一部として、前記第２のセルの検出と関連付けられる複数の検出プロシージャを実行すること、または（ｉｉｉ）セル再選択プロシージャまたはハンドオーバ関連プロシージャの一部として、前記第２のセルに対応する複数の測定を実行することの少なくとも１つを回避することにより、前記ユーザデバイスが、前記第１のセルから前記第２のセルへの前記ユーザデバイスのスイッチを許容することを回避する段階をさらに備える、請求項１に記載の方法。
【請求項５】
（ｉ）前記ユーザデバイスの前記速度が前記閾値速度を満たし、かつ、（ｉｉ）前記第２のセルの前記サイズが前記セルサイズ基準を満たすと判断される場合に、前記第１のセルが、前記第１のセルから前記第２のセルへの前記ユーザデバイスのスイッチを許容する前記確率を変化させるために、（ａ）前記第２のセルに対応する信号強度測定値が比較される第１の閾値を変更すること、または（ｂ）ハンドオーバ条件が満たされる期間に対応する持続時間が比較される第２の閾値を変更することの少なくとも１つにより、（ｉ）前記ハンドオーバパラメータまたは（ｉｉ）前記セル再選択パラメータの少なくとも１つを調整する段階をさらに備える、請求項１に記載の方法。
【請求項６】
前記第２のセルの信号強度に対応する閾値を少なくとも変更することにより、前記第２のセルに対応する前記信号強度測定値が比較される前記第１の閾値を変更する段階をさらに備える、請求項５に記載の方法。
【請求項７】
（ａ）前記第２のセルの信号強度の（ｂ）前記ユーザデバイスにおける累積受信電力に対する比較に対応する閾値を少なくとも変更することにより、前記第２のセルに対応する前記信号強度測定値が比較される前記第１の閾値を変更する段階をさらに備える、請求項５に記載の方法。
【請求項８】
（ｉ）前記ユーザデバイスの前記速度が前記閾値速度を満たし、かつ、（ｉｉ）前記第２のセルの前記サイズが前記セルサイズ基準を満たすと判断される場合に、前記第２のセルに関連付けられる優先度を、前記第１のセルに関連付けられるレベルよりも低いレベルにまで引き下げる段階をさらに備える、請求項１から７のいずれか１項に記載の方法。
【請求項９】
前記ユーザデバイスの前記速度は、前記ユーザデバイス及び前記第２のセルの間の相対速度である、請求項１から８のいずれか一項に記載の方法。
【請求項１０】
前記第２のセルの前記サイズがセルサイズ基準を満たすか否かを判断する段階は、前記第２のセルの送信電力が送信電力基準を満たすか否かを判断する段階を含む、請求項１から９のいずれか１項に記載の方法。
【請求項１１】
前記無線ネットワークは、前記第１のセルが前記第２のセルの前記サイズと異なるサイズを有する異種ネットワークである、請求項１から１０のいずれか１項に記載の方法。
【請求項１２】
無線ネットワークの第２のセルのサイズに基づき閾値速度を判断し、
前記無線ネットワークの第１のセル内にあるユーザデバイスの速度が、前記閾値速度を満たすか否かを判断し、
前記無線ネットワークの前記第１のセル内にあり、またはこれに隣接する前記第２のセルの前記サイズがセルサイズ基準を満たすか否かを判断し、
（ｉ）前記ユーザデバイスの前記速度が前記閾値速度を満たし、かつ、（ｉｉ）前記第２のセルの前記サイズが前記セルサイズ基準を満たすと判断される場合に、
前記第１のセルが前記ユーザデバイスの前記第１のセルから前記第２のセルへのスイッチを許容することを回避し、または
前記第１のセルが前記ユーザデバイスの前記第１のセルから前記第２のセルへのスイッチを許容する確率を変化させるために、（ｉ）ハンドオーバパラメータまたは（ｉｉ）セル再選択パラメータの少なくとも１つを調整するプロセッサを備え、
前記閾値速度は、前記第２のセルの前記サイズに応じて変化する、装置。
【請求項１３】
前記プロセッサは、
（ａ）前記第１のセルが前記ユーザデバイスにハンドオーバコマンドを発行すること、（ｂ）前記第２のセルが前記ユーザデバイスのハンドオーバを受け入れること、または（ｃ）（ｉ）前記ユーザデバイスの前記速度が前記閾値速度を満たし、かつ、（ｉｉ）前記第２のセルの前記サイズが前記セルサイズ基準を満たすと判断される場合に、前記第２のセルが前記ユーザデバイスの前記第２のセルに対する再選択を受け入れることの少なくとも１つを回避する、請求項１２に記載の装置。
【請求項１４】
前記プロセッサは、
（ｉ）前記ユーザデバイスの前記速度が前記閾値速度を満たし、かつ、（ｉｉ）前記第２のセルの前記サイズが前記セルサイズ基準を満たすと判断される場合に、
前記第１のセルが、（ａ）前記ユーザデバイスが前記第２のセルに対応するハンドオーバ測定を実行することを許容すること、または（ｂ）前記ユーザデバイスが前記第２のセルに対応するセル再選択測定を実行することを許容することの少なくとも１つを回避することにより、前記第１のセルが、前記ユーザデバイスの前記第１のセルから前記第２のセルへのスイッチを許容することを回避する、請求項１２に記載の装置。
【請求項１５】
前記プロセッサは、前記ユーザデバイスに含まれ、
前記プロセッサは、（ｉ）前記ユーザデバイスの前記速度が前記閾値速度を満たし、かつ、（ｉｉ）前記第２のセルの前記サイズが前記セルサイズ基準を満たすと判断される場合に、前記ユーザデバイスが、（ａ）前記第２のセルをセル再選択プロシージャの一部として判断すること、（ｂ）セル再選択プロシージャまたはハンドオーバ関連プロシージャの一部として、前記第２のセルの検出と関連付けられる複数の検出プロシージャを実行すること、または（ｃ）セル再選択プロシージャまたはハンドオーバ関連プロシージャの一部として、前記第２のセルに対応する複数の測定を実行することの少なくとも１つを回避することにより、
前記ユーザデバイスが、前記第１のセルから前記第２のセルへの前記ユーザデバイスのスイッチを許容することを回避する、請求項１２に記載の装置。
【請求項１６】
前記プロセッサは、
（ｉ）前記ユーザデバイスの前記速度が前記閾値速度を満たし、かつ、（ｉｉ）前記第２のセルの前記サイズが前記セルサイズ基準を満たすと判断される場合に、前記第１のセルが、前記第１のセルから前記第２のセルへの前記ユーザデバイスのスイッチを許容する前記確率を変化させるために、（ａ）前記第２のセルに対応する信号強度測定値が比較される第１の閾値を変更すること、または（ｂ）ハンドオーバ条件が満たされる期間に対応する持続時間が比較される第２の閾値を変更することの少なくとも１つにより、
（ｉ）前記ハンドオーバパラメータまたは（ｉｉ）前記セル再選択パラメータの少なくとも１つを調整する、請求項１２に記載の装置。
【請求項１７】
前記プロセッサは、前記第２のセルの信号強度に対応する閾値を少なくとも変更することにより、前記第２のセルに対応する前記信号強度測定値が比較される前記第１の閾値を変化させる、請求項１６に記載の装置。
【請求項１８】
前記プロセッサは、（ａ）前記第２のセルの信号強度の（ｂ）前記ユーザデバイスにおける累積受信電力に対する比較に対応する閾値を少なくとも変更することにより、前記第２のセルに対応する前記信号強度測定値が比較される前記第１の閾値を変化させる、請求項１６に記載の装置。
【請求項１９】
前記プロセッサは、
（ｉ）前記ユーザデバイスの前記速度が前記閾値速度を満たし、かつ、（ｉｉ）前記第２のセルの前記サイズが前記セルサイズ基準を満たすと判断される場合に、
前記第２のセルに関連付けられる優先度を、前記第１のセルに関連付けられるレベルよりも低いレベルにまで低くする、請求項１２から１８のいずれか１項に記載の装置。
【請求項２０】
前記プロセッサを含む基地局をさらに備える、請求項１２から１９のいずれか１項に記載の装置。
【請求項２１】
無線ネットワークにおいて、第１のセルから第２のセルへのユーザデバイスのスイッチを制御する方法であって、
前記第２のセルにおいて、前記第２のセルのサイズに基づき閾値速度を判断する段階と、
前記第２のセルにおいて、前記ユーザデバイスの速度が前記閾値速度を満たすか否かを判断する段階と、
前記ユーザデバイスの前記速度が前記閾値速度を満たすと判断される場合に、
前記第２のセルにおいて、前記ユーザデバイスが前記第２のセルに接続することを回避する段階と
を備え、
前記閾値速度は、前記第２のセルの前記サイズに応じて変化する、方法。
【請求項２２】
前記ユーザデバイスが前記第２のセルに接続することを回避する段階は、前記第２のセルが、前記ユーザデバイスの前記第２のセルへのハンドオーバを受け入れない段階を備える、請求項２１に記載の方法。
【請求項２３】
前記ユーザデバイスが前記第２のセルに接続することを回避する段階は、前記第２のセルが、前記ユーザデバイスによる前記第２のセルのセル再選択を受け入れない段階を備える、請求項２１に記載の方法。
【請求項２４】
前記無線ネットワークは、前記第１のセルが前記第２のセルのサイズと異なるサイズを有する異種ネットワークである、請求項２１から２３のいずれか１項に記載の方法。
【請求項２５】
第２のセルにサービスする基地局を備える装置であって、前記基地局は、
第２のセルのサイズに基づき閾値速度を判断し、
第１のセル内に存在するユーザデバイスの速度が閾値速度を満たすか否かを判断し、
前記ユーザデバイスの前記速度が前記閾値速度を満たすと判断される場合に、
前記ユーザデバイスが前記第２のセルに接続することを回避し、
前記閾値速度は、前記第２のセルの前記サイズに応じて変化する、装置。
【請求項２６】
前記基地局は、前記第２のセルへの前記ユーザデバイスのハンドオーバを受け入れないことにより、前記ユーザデバイスが前記第２のセルに接続することを回避する、請求項２５に記載の装置。
【請求項２７】
前記基地局は、前記ユーザデバイスによる前記第２のセルのセル再選択を受け入れないことにより、前記ユーザデバイスが前記第２のセルに接続することを回避する、請求項２５に記載の装置。
【請求項２８】
無線ネットワークにおいて、第１のセルから第２のセルへのユーザデバイスのスイッチを制御する方法であって、
前記第２のセルのサイズに基づき閾値速度を判断する段階と、
前記ユーザデバイスの速度が閾値速度を満たすか否かを判断する段階と、
前記第２のセルの前記サイズがセルサイズ基準を満たすか否かを判断する段階と、
（ｉ）前記ユーザデバイスの前記速度が前記閾値速度を満たし、かつ、（ｉｉ）前記第２のセルの前記サイズが前記セルサイズ基準を満たすと判断したことに応じて、
前記ユーザデバイスを前記第２のセルにハンドオーバする段階と
を備え、
前記閾値速度は、前記第２のセルの前記サイズに応じて変化する、方法。
【請求項２９】
前記第２のセルの前記サイズが前記セルサイズ基準を満たすか否かを判断する段階は、前記第２のセルの前記サイズがセルサイズ閾値より大きいか否かを判断する段階を備える、請求項２８に記載の方法。
【請求項３０】
前記無線ネットワークは、前記第１のセルが前記第２のセルの前記サイズと異なるサイズを有する異種ネットワークである、請求項２８または２９に記載の方法。
【請求項３１】
第１のセルにサービスする基地局を備える装置であって、前記基地局は、
第２のセルのサイズに基づき閾値速度を判断し、
ユーザデバイスの速度が閾値速度を満たすか否かを判断し、
前記第２のセルの前記サイズがセルサイズ基準を満たすか否かを判断し、
（ｉ）前記ユーザデバイスの前記速度が前記閾値速度を満たし、かつ、（ｉｉ）前記第２のセルの前記サイズが前記セルサイズ基準を満たすと判断したことに応じて、
前記ユーザデバイスを前記第２のセルにハンドオーバし、
前記閾値速度は、前記第２のセルの前記サイズに応じて変化する、装置。
【請求項３２】
前記基地局は、前記第２のセルの前記サイズがセルサイズ閾値より大きいか否かを判断することにより、前記第２のセルの前記サイズが前記セルサイズ基準を満たすか否かを判断する、請求項３１に記載の装置。
【発明の詳細な説明】
【技術分野】
【０００１】
［関連出願への相互参照］
本願は、２０１２年８月７日に出願された米国仮特許出願第６１／６８０，６３６号の利益を主張するものであり、その開示全体は参照として本明細書に組み込まれる。
【０００２】
本開示は、概して、無線ネットワークに関し、より詳細には、複数のセル間におけるユーザデバイスのハンドオーバ及び複数の異種無線ネットワークにおけるユーザデバイスのセル再選択のための複数の方法及び複数のシステムに関する。
【背景技術】
【０００３】
複数のセルラネットワークでは、複数のモバイルユーザデバイス（例えば、複数の携帯電話）は、ユーザデバイスに適切にサービス可能な基地局を有するセルを特定及び選択するために、典型的には、最初の「セル選択」プロセスを実行する。しかしながら、複数のユーザデバイスは、エリアからエリアへと移動し得るため、異なる複数の時刻に複数のユーザデバイスと通信を行うためには、異なる複数のセルの複数の基地局が、より良い位置にあることがある。そこで、高品質なサービスを保持するために、複数のセルラネットワークは、典型的には、ユーザデバイスにサービスするセルをスイッチするメカニズムを提供する。ユーザデバイスがサービングセルの基地局とアクティブに通信を行っている場合に、すなわち「接続」されている場合に、複数のセルをスイッチするプロセスは、典型的には、セルの「ハンドオーバ」と称される。ハンドオーバは、典型的には、サービングセルがユーザデバイス及びターゲットセルに「ハンドオーバコマンド」を発行することによって開始される。ユーザデバイスがアイドルモードにある場合（例えば、複数のページングメッセージ、複数のブロードキャストパラメータ等のようなオーバヘッドデータのみがサービングセルの基地局から受信されるモードで）、しかしながら、プロセスは、典型的にはセルの「再選択」と称される。セルのハンドオーバは、概して、ネットワークに命令され、セル再選択は、概して、ユーザデバイスにより決定される。セル再選択プロセスは、典型的には、ユーザデバイスがターゲットセルを「登録」することにより開始される。
【０００４】
いくつかのセルラネットワークでは、３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ（３ＧＰＰ  ＬＴＥ）の仕様書に従って構成された複数のセルラネットワークのような複数のセルは、サイズが一律であり、同種無線ネットワークを構成する。しかしながら、３ＧＰＰリリース１０及びそれ以降のような将来の世代の複数のモバイル通信ネットワーク及び他の複数のタイプのモバイル通信ネットワークでは、複数のセルは、サイズが異なり、複数の異種無線ネットワークを構成する可能性がある。複数の異種無線ネットワークは、複数のマクロセル及び複数のスモールセルの両方を有してもよい。複数のスモールセルは、複数のピコセル、複数のフェムトセルまたは複数のミクロセルであってもよい。複数のスモールセルは、典型的には、複数のマクロセルの内部及び／またはその範囲の端部に見られる。複数のスモールセルは、例えば、スループットの増大及びネットワーク負荷分散の支援のような、複数の利益を提供することができる。例えば、マクロセルの範囲内に、野球場などのユーザ密度が高い特定のエリアがある場合に、スモールセルは、当該エリアで更に用いられることができる。
【０００５】
同種無線ネットワークでは、ハンドオーバまたは再選択の決定にあたり、セルサイズは考慮されない。ユーザモビリティ状態は、典型的には、所定期間におけるハンドオーバまたはセル再選択の回数に基づいて判断され、典型的には、ユーザデバイスが高モビリティ状態にある場合に、複数のハンドオーバは、より積極的になるように設計される（すなわち、ハンドオーバの基準が、より緩和される）。これは、同種無線ネットワークでは、複数の積極的なハンドオーバが、より良い信号品質のための早期の複数のハンドオーバをもたらすからである。セル再選択は、典型的には、周波数及び信号強度に対してのみ行われる。
【発明の概要】
【０００６】
一実施形態では、無線ネットワークにおいて、第１のセルから第２のセルへのユーザデバイスのスイッチを制御する方法は、ユーザデバイスのモビリティ測定値がモビリティ基準を満たすか否かを判断する段階と、第２のセルのサイズがセルサイズ基準を満たすか否かを判断する段階とを含む。方法は、（ｉ）ユーザデバイスのモビリティ測定値がモビリティ基準を満たし、かつ、（ｉｉ）第２のセルのサイズがセルサイズ基準を満たすと判断される場合に、ユーザデバイスが第１のセルから第２のセルにスイッチされることを回避する段階、または（ｉ）ユーザデバイスが第１のセルから第２のセルにスイッチする確率を変化させるために、ハンドオーバパラメータまたは（ｉｉ）セル再選択パラメータの少なくとも１つを調整する段階をさらに含む。
【０００７】
他の実施形態では、装置は、ユーザデバイスのモビリティ測定値がモビリティ基準を満たすか否かを判断するように構成されるプロセッサを備え、ユーザデバイスは、無線ネットワークの第１のセル内にある。プロセッサは、第２のセルのサイズがセルサイズ基準を満たすか否かを判断するようにさらに構成され、第２のセルは、無線ネットワークの第１のセル内にある、またはこれに隣接する。更に、プロセッサは、（ｉ）ユーザデバイスのモビリティ測定値がモビリティ基準を満たし、かつ、（ｉｉ）第２のセルのサイズがセルサイズ基準を満たすと判断される場合に、第１のセルがユーザデバイスの第１のセルから第２のセルへのスイッチを許容することを回避する、または第１のセルがユーザデバイスの第１のセルから第２のセルへのスイッチを許容する確率を変化させるために、（ｉ）ハンドオーバパラメータまたは（ｉｉ）セル再選択パラメータの少なくとも１つを調整するように構成される。
【０００８】
さらに他の実施形態では、無線ネットワークにおいて、第１のセルから第２のセルへのユーザデバイスのスイッチを制御する方法は、ユーザデバイスのモビリティ測定値がモビリティ基準を満たすか否かを判断する段階と、ユーザデバイスのモビリティ測定値がモビリティ基準を満たすと判断される場合に、ユーザデバイスが第２のセルに接続することを回避する段階とを含む。
【０００９】
さらに他の実施形態では、装置は、セルにサービスする基地局を備え、基地局は、ユーザデバイスのモビリティ測定値がモビリティ基準を満たすか否かを判断し、ユーザデバイスのモビリティ測定値がモビリティ基準を満たすと判断される場合に、ユーザデバイスがセルに接続することを回避するように構成される。
【００１０】
さらなる実施形態では、無線ネットワークにおいて、第１のセルから第２のセルへのユーザデバイスのスイッチを制御する方法は、ユーザデバイスのモビリティ測定値がモビリティ基準を満たすか否かを判断する段階と、第２のセルのサイズがセルサイズ基準を満たすか否かを判断する段階とを含む。（ｉ）ユーザデバイスのモビリティ測定値がモビリティ基準を満たし、かつ、（ｉｉ）第２のセルのサイズがセルサイズ基準を満たすと判断したことに応じて、ユーザデバイスは、第２のセルにハンドオーバされる。
【００１１】
さらに他の実施形態では、装置は、第１のセルにサービスする基地局を備える。基地局は、ユーザデバイスのモビリティ測定値がモビリティ基準を満たすか否かを判断し、第２のセルのサイズがセルサイズ基準を満たすか否かを判断し、（ｉ）ユーザデバイスのモビリティ測定値がモビリティ基準を満たし、かつ、（ｉｉ）第２のセルのサイズがセルサイズ基準を満たすと判断したことに応じて、ユーザデバイスを第２のセルにハンドオーバするように構成される。
【００１２】
さらに他の実施形態では、セルとの接続の再確立を試行するか否かを判断するための方法は、ユーザデバイスのモビリティ測定値がモビリティ基準を満たすか否かを判断する段階と、セルのサイズがセルサイズ基準を満たすか否かを判断する段階とを含み、ユーザデバイスは、前にセルとの接続を失敗したことがある。（ｉ）ユーザデバイスのモビリティ測定値がモビリティ基準を満たし、かつ（ｉｉ）セルのサイズがセルサイズ基準を満たすと判断される場合に、ユーザデバイスは、セルとの接続を再確立することが回避される。
【００１３】
さらなる実施形態では、装置は、ユーザデバイスのモビリティ測定値がモビリティ基準を満たすか否かを判断するように構成されるプロセッサを備え、前にセルとの接続を失敗したことがあるユーザデバイスは、セルのサイズがセルサイズ基準を満たすか否かを判断し、（ｉ）ユーザデバイスのモビリティ測定値がモビリティ基準を満たし、かつ（ｉｉ）セルのサイズがセルサイズ基準を満たすと判断される場合に、ユーザデバイスがセルとの接続を再確立することを回避するプロセッサを含む。
【００１４】
少なくともいくつかの実施形態では、かつ少なくともいくつかのシナリオでは、本明細書で開示されるように、複数の技術は、セルのハンドオーバまたは再選択の頻度を低減させることに役立ち、これにより、複数のハンドオーバコマンド及び接続セットアップ要求などのオーバヘッド信号送信を低減させることに役立つ。頻繁なハンドオーバコマンド及びセル再選択要求は、セルの検出及び複数のユーザによる複数の測定活動を増加させるため、少なくともいくつかの実施形態及び／またはシナリオでは、セルのハンドオーバまたはセル再選択の頻度の低減は、セルの検出及び複数のユーザによる複数の測定活動を低減させることに役立つ。同様に、少なくともいくつかの実施形態では、かつ少なくともいくつかのシナリオでは、本明細書で開示されるように、複数の技術は、不要な複数のセルのハンドオーバまたは再選択を低減させることに役立ち、これにより、オーバヘッド信号送信、セルの検出及び複数のユーザによる複数の測定活動等を低減させることに役立つ。
【図面の簡単な説明】
【００１５】
【図１】実施形態に係るセル再選択及び複数のハンドオーバ技術が実装される異種セルラネットワークの例の図である。
【００１６】
【図２】実施形態に係る図１のネットワークの例などの異種セルラネットワークで用いられる複数の通信デバイスのブロック図である。
【００１７】
【図３】実施形態に係る（ｉ）ユーザデバイスが複数のセルをスイッチすることを許容する、または（ｉｉ）複数のセルをスイッチするための基準をより厳しくするか否かを判断するための方法の例のフロー図である。
【００１８】
【図４】実施形態に係るユーザデバイスがセルに接続することを回避するか否かを判断するための方法の例のフロー図である。
【００１９】
【図５】実施形態に係るユーザデバイスをセルにハンドオーバするか否かを判断するための方法の例のフロー図である。
【００２０】
【図６】実施形態に係る（ｉ）ユーザデバイスがセルにスイッチすることを回避する、または（ｉｉ）セルの優先度を低くするか否かを判断するための方法の例のフロー図である。
【００２１】
【図７】実施形態に係るユーザデバイスがセルへの接続を再確立することを回避するか否かを判断するための方法の例のフロー図である。
【発明を実施するための形態】
【００２２】
後述される複数の実施形態では、不要なまたは非効率的な複数のハンドオーバ及び再選択を最小化しつつ、ユーザデバイスによる新たなセル再選択またはこれへのハンドオーバを可能とするセルのハンドオーバ及び再選択の複数の技術が、異種無線ネットワークで用いられる。概して、開示された複数の技術の例は、前の世代の複数の同種無線ネットワークと対照的に、複数の異種無線ネットワークのトポロジを考慮する。いくつかの実施形態では、ネットワーク（例えば、セルのネットワークコントローラ）は、ターゲットセルのセルサイズ及び関連するユーザデバイスのモビリティ状態を考慮する。他の複数の実施形態では、ユーザデバイスは、新たなセル再選択を決定する場合に、ターゲットセルのセルサイズ及びユーザデバイスのモビリティ状態を直接考慮する。少なくともいくつかの実施形態及び／または状況では、本明細書に記載された複数の技術によれば、複数の異種ネットワークに対するより良いリソースの利用が可能となる。例えば、複数のスモールセルは、移動しない複数のユーザのためのキャパシティを引き上げるために用いられることができ、複数のマクロセルは、複数の高モビリティユーザのために用いられることができる。少なくともいくつかの実施形態及び／または複数のシナリオでは、複数の高モビリティユーザのための複数のスモールセルの検出及び／または測定が必要ではないことを認識することにより、エアリソースの無駄が低減され、複数の高モビリティユーザのためのハンドオーバ及び／またはセル再選択に関連する複数の制御信号が低減され、及び／またはコスト効率及び／または電力効率が改善される。
【００２３】
図１は、実施形態に係るセル再選択及び複数のハンドオーバ技術が実装される異種セルラネットワークの例のブロック図である。セルラネットワークは、（ｉ）第１の基地局によってサービスされる第１のマクロセル１００、（ｉｉ）第２の基地局１０４によってサービスされるスモールセル１０１及び（ｉｉｉ）第３の基地局１０５によってサービスされる第２のマクロセル１０２を含む。
【００２４】
いくつかのシナリオでは、ユーザデバイス１０６（例えば、実施形態では、携帯電話）は、セルラネットワークの地理的エリア内を移動する。複数の位置「Ａ」から「Ｄ」を含む経路は、１つのシナリオの例では、ユーザデバイス１０６が経時的に辿るルートを示す。
【００２５】
ユーザデバイス１０６がアイドルモードの場合に、ユーザデバイス１０６は、ポイント「Ａ」において基地局１０３に登録される。ユーザデバイス１０６がポイント「Ｂ」に移動すると、ユーザデバイス１０６は、基地局１０４を再選択してもよい。ユーザデバイス１０６がポイント「Ｃ」に移動すると、ユーザデバイス１０６は、次に基地局１０３を再選択してもよい。ユーザデバイス１０６が比較的高速で移動している場合に、基地局１０３から基地局１０４へ、その後反対に基地局１０３への再選択は、素早く連続的に生じる。本明細書で開示される複数の技術の例は、この種の不要な再選択を解消または最小化することを追求する。例えば、本明細書で開示される技術の例によれば、ユーザデバイス１０６が高モビリティユーザ（例えば、デバイス１０６の速度が閾値を超える）として特徴づけられる場合に、結果的に、セル再選択はポイント「Ｂ」では発生せず、そのため、ポイント「Ｃ」では再選択が不要となる。むしろ、ユーザデバイス１０６は、ポイントＡからポイントＣまででは基地局１０３に登録される。一方、ユーザデバイス１０６が高モビリティユーザ（例えば、デバイス１０６の速度が閾値を下回る）として特徴づけられない場合は、結果的に、ユーザデバイス１６０は、ポイント「Ｂ」で再選択を実行することが可能となる。いずれの場合も（例えば、ユーザデバイス１０６が高モビリティデバイスとして特徴づけられようとなかろうと）、ユーザデバイス１０６は、ポイント「Ｃ」から「Ｄ」へ、マクロセル１００からマクロセル１０２へ移動すると、セル再選択を実行する。
【００２６】
同様に、ユーザデバイス１０６がアクティブ通信モードの場合に、ユーザデバイス１０６は、ポイント「Ａ」で基地局１０３に接続される。ユーザデバイス１０６がポイント「Ｂ」に移動すると、ユーザデバイス１０６は、基地局１０４にハンドオーバされてもよい。ユーザデバイス１０６がポイント「Ｃ」に移動すると、ユーザデバイス１０６は、反対に基地局１０３へハンドオーバされてもよい。ユーザデバイス１０６が比較的高速で移動している場合に、基地局１０３から基地局１０４へ、その後反対に基地局１０３へのハンドオーバが、素早く連続的に生じる。本明細書で開示される複数の技術の例は、この種の不要なハンドオーバ解消または最小化することを追求する。例えば、本明細書で開示される技術の例によれば、ユーザデバイス１０６が高モビリティユーザとして特徴づけられる場合に、ハンドオーバはポイント「Ｂ」で発生せず、このため、ハンドオーバはポイント「Ｃ」で不要となる。一方、ユーザデバイス１０６が高モビリティユーザとして特徴づけられない場合に、ポイント「Ａ」及び「Ｂ」における複数のハンドオーバが許容される。いずれの場合も（例えば、ユーザデバイス１０６が高モビリティデバイスとして特徴づけられようとなかろうと）、ユーザデバイス１０６がポイント「Ｃ」から「Ｄ」へ、マクロセル１００からマクロセル１０２へと移動すると、ユーザデバイス１０６は、基地局１０３から基地局１０５へハンドオーバされる。
【００２７】
実施形態では、図１のセルラネットワークは、３ＧＰＰ  ＬＴＥネットワークである（すなわち、３ＧＰＰ  ＬＴＥ仕様書のあるバージョンに準拠する）。本実施形態では、及び３ＧＰＰ  ＬＴＥという用語を用いる場合に、基地局１０３、１０４および１０５の各々は、「発展型ノードＢ」または「Ｅ−ＵＴＲＡＮノードＢ」（ｅＮＢ）と称され、ユーザデバイス１０６は、「ユーザ機器」（ＵＥ）と称される。他の複数の実施形態では、セルラネットワークは、異なる適したタイプのネットワーク、または複数のネットワークの組み合わせである。例えば、他の実施形態では、図１のセルラネットワークは、様々な複数の実施形態に係るＷｉＭＡＸネットワーク、３ｒｄ  Ｇｅｎｅｒａｔｉｏｎ  Ｐａｒｔｎｅｒｓｈｉｐ  Ｐｒｏｊｅｃｔ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（３ＧＰＰ  ＵＭＴＳ）ネットワーク、ハイブリッドＵＭＴＳ／ＬＴＥネットワーク等である。
【００２８】
図２は、実施形態に係るセル再選択及び複数のハンドオーバ技術が実装される異種セルラネットワークで用いられる複数の通信デバイスの例のブロック図である。説明の簡略化のために、図２の複数の通信デバイスは、３ＧＰＰ  ＬＴＥ用語（例えば、ｅＮＢ及びＵＥ）を用いて参照される。他の複数の実施形態は、しかしながら、複数のＷｉＭＡＸ通信デバイス等のような他の適した複数のタイプの通信デバイスを含む。
【００２９】
ｅＮＢ２０６は、ネットワークインタフェース２０２に連結されるホストプロセッサ２０１を含む。実施形態では、ホストプロセッサ２０１は、複数の機械可読命令を実行するプロセッサを備える。ネットワークインタフェース２０２は、媒体アクセス制御（ＭＡＣ）処理ユニット２０３及び物理層（ＰＨＹ）処理ユニット２０４を含む。ＰＨＹ処理ユニット２０４は、アンテナ２０７に連結されるトランシーバ２０５を含む。１つのトランシーバ２０５及び１つのアンテナ２０７が図２に示されるが、他の複数の実施形態では、ｅＮＢ２０６は、異なる適した数（例えば、２、３、４、５等）のトランシーバ２０５及びアンテナ２０７を含む。様々な複数の実施形態では、ネットワーク内の１つ、いくつか、または全てのｅＮＢは、ｅＮＢ２０６と同じまたは同様の構造を有する。例えば、実施形態では、ｅＮＢ１０３は、ｅＮＢ２０６と同じまたは同様の構造を有し、ｅＮＢ１０４は、ｅＮＢ２０６と同じまたは同様の構造を有する。他の例として、実施形態では、ｅＮＢ１０５は、ｅＮＢ２０６と同じまたは同様の構造を有する。
【００３０】
ＵＥ２１３は、（どのセルが選択され、再選択され、またはセルのハンドオーバを受け入れるかに応じて）複数のｅＮＢ２０６のいずれか１つと通信を行うように構成され、ネットワークインタフェース２０９に連結されるホストプロセッサ２０８を含む。実施形態では、ホストプロセッサ２０８は、複数の機械可読命令を実行するプロセッサを備える。ネットワークインタフェース２０９は、ＭＡＣ処理ユニット２１０及びＰＨＹ処理ユニット２１１を含む。ＰＨＹ処理ユニット２１１は、トランシーバ２１２を含み、トランシーバ２１２は、アンテナ２１４に連結される。１つのトランシーバ２１２及び１つのアンテナ２１４が図２に示されるが、他の複数の実施形態では、ＵＥ２１３は、異なる適した数（例えば、２、３、４、５等）のトランシーバ２１２及びアンテナ２１４を含む。実施形態では、ＵＥ２１３は、アイドルモードまたはアクティブ通信モードのいずれかで選択的に動作するように構成される。いくつかの実施形態では、ＵＥ２１３は、１つまたは複数の追加的なモードで選択的に動作するようにさらに構成される。実施形態では、ＵＥ１０６は、ＵＥ２１３と同じまたは同様の構造を有する。
【００３１】
図３は、実施形態に係るＵＥがターゲットセルにスイッチすることを許容するか否か、またはターゲットセルにスイッチするための複数の要件をより厳しくするか否かを判断するための方法３００の例のフロー図である。実施形態では、方法３００は、サービングセル、例えば、ｅＮＢ１０３によって実装され、方法３００は、例示のため、ｅＮＢ１０３との関連で説明される。他の複数の実施形態では、しかしながら、方法３００は、ネットワークコントローラデバイスのような他の適したデバイスによって実装される。実施形態では、方法３００は、ｅＮＢ２０６によって実装される。例えば、実施形態では、方法３００は、ホスト２０１によって少なくとも部分的に実装される。他の例として、実施形態では、方法３００は、ネットワークインタフェースデバイス２０２によって少なくとも部分的に実装される。実施形態では、方法３００は、部分的にホスト２０１によって、部分的にネットワークインタフェースデバイス２０２によって実装される。
【００３２】
ブロック３０４では、ＵＥのモビリティ測定値がモビリティ基準を満たすか否かが判断される。例えば、実施形態では、ＵＥの速度が閾値を満たすか否か（例えば、これより大きいまたはこれ以上である）が判断される。実施形態では、ｅＮＢ１０３は、適した技術を用いてＵＥの速度を測定する。例えば、ｅＮＢ１０３は、ｅＮＢ１０３によって収集された近接または位置データに基づいて、例えば、接続及び／またはアイドルモードで、ＵＥの速度を推定する。他の実施形態では、ＵＥは、自己の速度を測定し、当該速度をｅＮＢ１０３に報告する。ＵＥは、適した態様で、その速度を推定する。例えば、実施形態では、ＵＥは、ポジショニングシステム（例えば、グローバルポジショニングシステム（ＧＰＳ）または他の適したポジショニングシステム）を含み、ポジショニングデータを用いて当該速度を推定する。他の複数の実施形態では、ＵＥは、ハンドオーバまたはセル再選択の頻度に基づいて、もしくはサービングセルまたはターゲットセルに関連付けられる物理層の複数の測定及び計算から、当該速度を推定する。物理層の複数の測定及び計算は、限定的ではないが、チャネル推定、チャネル品質情報の測定及び報告、信号電力及び品質の測定及び報告等を含む。
【００３３】
いくつかの実施形態では、ＵＥのモビリティ測定値は、ターゲットセル１０１に対するＵＥの相対速度である。例えば、いくつかのシナリオでは、ターゲットセル１０１は、移動しており（例えば、ターゲットｅＮＢ１０４が、電車、ボート等の移動している物体上にある）、移動しているターゲットセル１０１に対するＵＥの相対速度が考慮される。実施形態では、ｅＮＢは、適した技術を用いて、ターゲットセル１０１に対するＵＥの相対速度を判断する。例えば、いくつかの実施形態では、ｅＮＢ１０３は、ＵＥの速度を推定し、及び／または、ｅＮＢ１０３によって収集された近接または位置データに基づいて、例えば、接続及び／またはアイドルモードで、ターゲットセル１０１の速度を推定する。他の複数の実施形態では、ｅＮＢ１０３は、ＵＥからＵＥの速度の複数のレポートを受信し、及び／または、ターゲットｅＮＢ１０４からターゲットセル１０１の速度の複数のレポートを受信する。実施形態では、ＵＥは、ターゲットセル１０１に対するＵＥの相対速度を判断し、ｅＮＢ１０３は、ＵＥから相対速度のレポートを受信する。実施形態では、相対速度を判断する段階は、ＵＥの移動方向及びターゲットｅＮＢ１０４の移動方向を判断する段階を含む。
【００３４】
実施形態では、モビリティ基準は、ターゲットセル１０１のサイズに応じて変化し、ｅＮＢ１０３は、ターゲットセルのサイズを用いてモビリティ基準を判断する。例えば、実施形態では、速度閾値は、概して、ターゲットセル１０１のサイズに対して変化する（例えば、概して、ターゲットセル１０１のサイズが大きくなるにつれて、速度閾値は大きくなる）。
【００３５】
実施形態では、モビリティ測定値がモビリティ基準を満たす場合に、ＵＥは、高モビリティ状態にあると判断される（例えば、ＵＥが速く移動している、及び／またはＵＥがターゲットセル１０１に対して相対的に速く移動している）。一方、実施形態では、モビリティ測定値がモビリティ基準を満たさない場合に、ＵＥは、高モビリティ状態にはないと判断される（例えば、ＵＥは、移動していない、ゆっくりと移動している、ターゲットセル１０１に対して相対的にゆっくりと移動している、等）。
【００３６】
ＵＥのモビリティ測定値がモビリティ基準を満たさないと判断される場合に、フローは終了する。一方、ＵＥのモビリティ測定値がモビリティ基準を満たすと判断される場合に、フローはブロック３０８に進む。ブロック３０８では、ターゲットセル１０１のサイズがセルサイズ基準を満たすか否かが判断される。例えば、実施形態では、ターゲットセル１０１のサイズが閾値を満たすか否か（例えば、これより小さい、またはこれ以下である）が判断される。実施形態では、ｅＮＢ１０３は、適した技術を用いて、ターゲットセル１０１のサイズを判断する。例えば、実施形態では、ＵＥは、ターゲットセル１０１の送信電力を測定することにより、ターゲットセル１０１のサイズを推定し、次に、ＵＥは、ターゲットセル１０１のセルサイズをｅＮＢ１０３に報告する。他の実施形態では、ターゲットセル１０１のサイズは、１つのまたは１つより多くのＵＥからｅＮＢ１０３に予め報告され、ｅＮＢ１０３は、これらを格納し、複数のレポートに基づいて、セル１０１のサイズを総合的に判断する。他の実施形態では、ｅＮＢ１０３は、ターゲットセル１０１の送信電力を測定することにより、ターゲットセル１０１のサイズを推定する。他の実施形態では、ターゲットｅＮＢ１０４は、ターゲットセル１０１のサイズをｅＮＢ１０３に報告する。実施形態では、ターゲットセル１０１のサイズがセルサイズ基準を満たすか否かを判断する段階は、ターゲットセル１０１に対応する送信電力が電力閾値を満たすか否か（例えば、これより小さいまたはこれ以下である）を判断する段階を備える。
【００３７】
実施形態では、ターゲットセル１０１のサイズがセルサイズ基準を満たす場合に、ターゲットセル１０１は、スモールセルである（例えば、ターゲットセル１０１は、ピコセル、フェムトセル、ミクロセル等である）と判断される。一方、実施形態では、ターゲットセル１０１のサイズがセルサイズ基準を満たさない場合に、ターゲットセル１０１は、スモールセルではない（例えば、ターゲットセル１０１は、マクロセルである）と判断される。
【００３８】
ターゲットセル１０１のサイズがセルサイズ基準を満たさないと判断される場合に、フローは終了する。一方、ターゲットセル１０１のサイズがセルサイズ基準を満たすと判断される場合に、フローはブロック３１２に進む。ここで示された順序では、ブロック３０４はブロック３０８より前であるが、これは例に過ぎない。他の実施形態では、ブロック３０８は、ブロック３０４より前である。他の実施形態では、ブロック３０４及びブロック３０８は、並列に処理され、両方のブロックの複数の条件が満たされた場合に、フローはブロック３１２に進む。
【００３９】
いくつかの実施形態では、ブロック３１２において、サービングｅＮＢ１０３は、ＵＥがターゲットセル１０１にスイッチすることを許容することが回避される。例えば、実施形態では、サービングｅＮＢ１０３は、ＵＥのターゲットセル１０１へのスイッチに関するハンドオーバコマンドの発行が回避される。他の例として、実施形態では、サービングｅＮＢ１０３は、ＵＥのターゲットセル１０１へのスイッチに関するターゲットセル１０１のハンドオーバ測定を行うようにＵＥを構成することが回避される。他の例として、実施形態では、サービングｅＮＢ１０３は、ＵＥのターゲットセル１０１へのスイッチに関するターゲットセル１０１のセル再選択測定を行うようにＵＥを構成することが回避される。
【００４０】
他の複数の実施形態では、ターゲットセル１０１へのスイッチの基準をより厳しくする（例えば、ｅＮＢ１０３が、サービングセル１００からターゲットセル１０１へのＵＥのスイッチを許容する確率を低下させる）ために、ｅＮＢ１０３は、複数のハンドオーバパラメータを調整する。他の複数の実施形態では、ターゲットセル１０１へのスイッチの基準をより厳しくする（例えば、ｅＮＢ１０３が、サービングセル１００からターゲットセル１０１へのＵＥのスイッチを許容する確率を低下させる）ために、ｅＮＢ１０３は、複数のセル再選択パラメータを調整する。他の複数の実施形態では、ターゲットセル１０１へのスイッチの基準をより厳しくする（例えば、ｅＮＢ１０３が、サービングセル１００からターゲットセル１０１へのＵＥのスイッチを許容する確率を低下させる）ために、ｅＮＢ１０３は、（ｉ）複数のハンドオーバパラメータ及び（ｉｉ）複数のセル再選択パラメータの両方を調整する。
【００４１】
例えば、実施形態では、ＵＥがターゲットセル１０１にスイッチすることを許容するか否かを判断する場合に、サービングｅＮＢ１０３は、ターゲットセル１０１に対応する（ＵＥの立場からの）信号強度測定値が比較される信号強度閾値を調整する。例えば、信号強度閾値を満たす（例えば、（ｉ）信号強度閾値を上回るまたは（ｉｉ）信号強度閾値以上である）、ターゲットセル１０１に対応する（ＵＥの立場からの）信号強度測定値は、実施形態では、ＵＥがターゲットセル１０１にスイッチすることを許容するために必要な基準であり、このように、信号強度閾値の増大により、基準がより厳しくなる。実施形態では、（ＵＥの立場からの）信号強度測定値は、ＵＥ１０６で受信されたターゲットｅＮＢ１０４の信号の電力を測定する参照信号受信電力（ＲＳＲＰ）である。他の実施形態では、ターゲットセル１０１に対応する（ＵＥの立場からの）信号強度測定値は、受信信号強度インジケータ（ＲＳＳＩ）である。他の実施形態では、ターゲットセル１０１に対応する（ＵＥの立場からの）信号強度測定値は、チャネル品質インジケータ（ＣＱＩ）である。他の実施形態では、ターゲットセル１０１に対応する（ＵＥの立場からの）信号強度測定値は、ターゲットセルの信号強度のサービングセルの信号強度に対する比較であるハンドオーバヒステリシス値である。
【００４２】
実施形態では、（ＵＥの立場からの）信号強度測定値は、（ａ）サービングセル１００の信号強度の（ｂ）ターゲットセル１０１の信号強度に対する比較である。例えば、実施形態では、（ＵＥの立場からの）信号強度測定値は、（ａ）ＲＳＲＰの（ｂ）ＵＥにおける累積受信電力に対する比率である参照信号受信品質（ＲＳＲＱ）である。
【００４３】
他の例として、実施形態では、サービングｅＮＢ１０３は、持続時間が比較される時間閾値を調整し、持続時間は、ＵＥがターゲットセル１０１にスイッチすることを許容するか否かを判断する場合に、ハンドオーバ条件が満たされる期間に対応する。例えば、時間閾値を満たす（例えば、（ｉ）時間閾値を上回る、または（ｉｉ）時間閾値以上である）持続時間は、実施形態では、ＵＥがターゲットセル１０１にスイッチすることを許容するために必要な基準であり、このように、時間閾値の増大により、基準がより厳しくなる。実施形態では、持続時間は、ターゲットセル１０１に対応する信号強度測定値がハンドオーバ条件を満たす、例えば、信号強度測定値が信号強度閾値を満たす期間に対応する。
【００４４】
実施形態では、時間閾値は、トリガ時間（ＴＴＴ）パラメータであり、サービングｅＮＢ１０３は、ＴＴＴパラメータを増加させる。他の実施形態では、時間閾値は、Ｔ＿ｒｅｓｅｌｅｃｔｉｏｎＲＡＴパラメータであり、サービングｅＮＢ１０３は、Ｔ＿ｒｅｓｅｌｅｃｔｉｏｎＲＡＴパラメータを増加させる。他の複数の実施形態では、他の適したハンドオーバ及び／または複数のセル再選択パラメータは、ハンドオーバまたはセル再選択のための複数の要件をより厳しくするために調整される。
【００４５】
図４は、実施形態に係るＵＥがターゲットセルにスイッチすることを許容するか否かを判断するための方法４００の例のフロー図である。実施形態では、方法４００は、ターゲットセル、例えば、ｅＮＢ１０４によって実装され、方法４００は、例示のため、ｅＮＢ１０４との関連で説明される。他の複数の実施形態では、しかしながら、方法４００は、ネットワークコントローラデバイスのような他の適したデバイスによって実装される。実施形態では、方法４００は、ｅＮＢ２０６によって実装される。例えば、実施形態では、方法４００は、ホスト２０１によって少なくとも部分的に実装される。他の例として、実施形態では、方法４００は、ネットワークインタフェースデバイス２０２によって少なくとも部分的に実装される。実施形態では、方法４００は、部分的にホスト２０１によって、部分的にネットワークインタフェースデバイス２０２によって実装される。
【００４６】
ブロック４０４では、ＵＥのモビリティ測定値がモビリティ基準を満たすか否かが判断される。例えば、実施形態では、ＵＥの速度が閾値を満たすか否か（例えば、これより大きいまたはこれ以上である）が判断される。実施形態では、ｅＮＢ１０４は、図３について上述されたような適した技術を用いて、ＵＥの速度を測定する。他の実施形態では、ＵＥは、自己の速度を測定し、当該速度をｅＮＢ１０４に報告する。いくつかの実施形態では、ＵＥのモビリティ測定値は、ターゲットセル１０１に対するＵＥの相対速度である。実施形態では、モビリティ基準は、ターゲットセル１０１のサイズに応じて変化し、モビリティ基準は、ターゲットセルのサイズを用いて判断される。
【００４７】
ＵＥのモビリティ測定値がモビリティ基準を満たさないと判断される場合に、フローは終了する。一方、ＵＥのモビリティ測定値がモビリティ基準を満たすと判断される場合に、フローはブロック４０８に進む。ブロック４０８では、ｅＮＢ１０４は、ＵＥ１０６によるセル１０１へのアクセスを回避する。例えば、実施形態では、ｅＮＢ１０４は、ＵＥ１０６のハンドオーバを受け入れない。他の例として、実施形態では、ｅＮＢ１０４は、ＵＥ１０６のセル１０１へのセル再選択を許容しない。
【００４８】
図５は、実施形態に係るＵＥをターゲットセルにハンドオーバするか否かを判断するための方法４５０の例のフロー図である。実施形態では、方法４５０は、スモールセル、例えば、ｅＮＢ１０４によって実装され、方法４５０は、例示のため、ｅＮＢ１０４との関連で説明される。他の複数の実施形態では、しかしながら、方法４５０は、ネットワークコントローラデバイスのような他の適したデバイスによって実装される。実施形態では、方法４５０は、ｅＮＢ２０６によって実装される。例えば、実施形態では、方法４５０は、ホスト２０１によって少なくとも部分的に実装される。他の例として、実施形態では、方法４５０は、ネットワークインタフェースデバイス２０２によって少なくとも部分的に実装される。実施形態では、方法４５０は、部分的にホスト２０１によって、部分的にネットワークインタフェースデバイス２０２によって実装される。
【００４９】
実施形態では、方法４５０は、ＵＥ１０６がスモールセル１０１に接続される場合に実装される。方法４５０は、実施形態では、ＵＥ１０６がスモールセル１０１からターゲットセル１００にハンドオーバされるべきか否かの判断に関する。
【００５０】
ブロック４５４では、ＵＥのモビリティ測定値がモビリティ基準を満たすか否かが判断される。例えば、実施形態では、ＵＥの速度が閾値を満たすか否か（例えば、これより大きいまたはこれ以上である）が判断される。実施形態では、ｅＮＢ１０４は、図３について上述されたような適した技術を用いて、ＵＥの速度を測定する。他の実施形態では、ＵＥは、自己の速度を測定し、当該速度をｅＮＢ１０４に報告する。いくつかの実施形態では、ＵＥのモビリティ測定値は、スモールセル１０１に対するＵＥの相対速度である。実施形態では、モビリティ基準は、スモールセル１０１のサイズに応じて変化し、モビリティ基準は、スモールセル１０１のサイズを用いて判断される。
【００５１】
ＵＥのモビリティ測定値がモビリティ基準を満たさないと判断される場合に、フローは終了する。一方、ＵＥのモビリティ測定値がモビリティ基準を満たすと判断される場合に、フローはブロック４５８に進む。ブロック４５８では、ターゲットセル１００のサイズがセルサイズ基準を満たすか否かが判断される。例えば、実施形態では、ターゲットセル１００のサイズが閾値を満たす（例えば、これより大きいまたはこれ以上である）か否かが判断される。実施形態では、ｅＮＢ１０４は、図３について上述されたような適した技術を用いて、ターゲットセル１００のサイズを判断する。
【００５２】
実施形態では、ターゲットセル１００のサイズがセルサイズ基準を満たす場合に、ターゲットセル１００は、マクロセルと判断される。一方、実施形態では、ターゲットセル１００のサイズがセルサイズ基準を満たさない場合に、ターゲットセル１００は、マクロセルではないと判断される。
【００５３】
ターゲットセル１００のサイズがセルサイズ基準を満たさないと判断される場合に、フローは終了する。一方、ターゲットセル１０１のサイズがセルサイズ基準を満たすと判断される場合に、フローはブロック４６２に進む。ブロック４５４および４５８の順序は、置換可能であり、または、複数のブロックは、図３について説明されたように、並列に実装されることができる。
【００５４】
ブロック４６２では、ｅＮＢ１０４は、セル１００にスイッチするＵＥ１０６に対応するハンドオーバコマンドを発行する。いくつかの実施形態では、方法４５０は、ＵＥ１０６がスモールセル１０１に接続した直後に（例えば、ＵＥ１０６がスモールセル１０１に接続したことに応答して）実行される。
【００５５】
他の複数の実施形態では、ｅＮＢ１０４は、ターゲットセル１０１へのスイッチの基準をより緩和する（例えば、ｅＮＢ１０４がサービングセル１０１からターゲットセル１００へのＵＥのスイッチを許容する確率を増大させる）ために、複数のハンドオーバパラメータを調整する。他の複数の実施形態では、ｅＮＢ１０４は、ターゲットセル１０１へのスイッチの基準をより緩和する（例えば、ｅＮＢ１０４がサービングセル１０１からターゲットセル１００へのＵＥのスイッチを許容する確率を増大させる）ために、複数のセル再選択パラメータを調整する。他の複数の実施形態では、ｅＮＢ１０４は、ターゲットセル１００へのスイッチの基準をより緩和する（例えば、ｅＮＢ１０４がサービングセル１０１からターゲットセル１００へのＵＥのスイッチを許容する確率を増大させる）ために、（ｉ）複数のハンドオーバパラメータ及び（ｉｉ）複数のセル再選択パラメータの両方を調整する。
【００５６】
実施形態では、（ＵＥの立場からの）信号強度測定値は、（ａ）サービングセル１０１の信号強度の（ｂ）ターゲットセル１００の信号強度に対する比較である。他の実施形態では、ＵＥは、図３について上述されたような適した技術を用いて、複数のｅＮＢの信号強度を測定及び比較する。
【００５７】
他の例として、サービングｅＮＢ１０４は、持続時間が比較される時間閾値を調整し、実施形態では、持続時間は、ターゲットセル１００へのＵＥのスイッチを許容するか否かを判断する場合に、ハンドオーバ条件が満たされる期間に対応する。例えば、時間閾値を満たす（例えば、（ｉ）時間閾値を上回る、または（ｉｉ）時間閾値以上である）持続時間は、実施形態では、ターゲットセル１００へのＵＥのスイッチを許容するために必要な基準であり、このように、時間閾値の減少により、基準が緩和される。持続時間は、実施形態では、ターゲットセル１００に対応する信号強度測定値がハンドオーバ条件を満たす、例えば、信号強度測定値が信号強度閾値を満たす期間に対応する。
【００５８】
実施形態では、時間閾値は、トリガ時間（ＴＴＴ）パラメータであり、サービングｅＮＢ１０４は、ＴＴＴパラメータを減少させる。他の実施形態では、時間閾値は、Ｔ＿ｒｅｓｅｌｅｃｔｉｏｎＲＡＴパラメータであり、サービングｅＮＢ１０４は、Ｔ＿ｒｅｓｅｌｅｃｔｉｏｎＲＡＴパラメータを減少させる。他の複数の実施形態では、他の適したハンドオーバ及び／または複数のセル再選択パラメータは、ハンドオーバまたはセル再選択のための複数の要件をより緩和するために、調整される。
【００５９】
図６は、実施形態に係るＵＥがターゲットセルにスイッチすることを許容するか否か、またはセル再選択のためにセルの優先度をつけ直すか否かを判断するための方法５００の例のフロー図である。実施形態では、方法５００は、ユーザデバイス、例えば、ＵＥ１０６によって実装され、方法５００は、例示のため、ＵＥ１０６との関連で説明される。他の複数の実施形態では、しかしながら、方法５００は、他の適したデバイスによって実装される。実施形態では、方法５００は、ＵＥ２１３によって実装される。例えば、実施形態では、方法５００は、ホスト２０８によって少なくとも部分的に実装される。他の例として、実施形態では、方法５００は、ネットワークインタフェースデバイス２０９によって少なくとも部分的に実装される。実施形態では、方法５００は、部分的にホスト２０８によって、部分的にネットワークインタフェースデバイス２０９によって実装される。
【００６０】
ブロック５０４では、ＵＥのモビリティ測定値がモビリティ基準を満たすか否かが判断される。例えば、実施形態では、ＵＥの速度が閾値を満たすか否か（例えば、これより大きいまたはこれ以上である）が判断される。実施形態では、ＵＥ１０６は、図３について上述されたような複数の技術を用いて、自己の速度を測定する。他の実施形態では、ｅＮＢは、図３について上述されたような適した技術を用いて、ＵＥ１０６の速度を測定し、ＵＥ１０６に速度を報告する。いくつかの実施形態では、ＵＥのモビリティ測定値は、ターゲットセル１０１に対するＵＥの相対速度である。実施形態では、モビリティ基準は、ターゲットセル１０１のサイズに応じて変化し、モビリティ基準は、ターゲットセル１０１のサイズを用いて判断される。
【００６１】
ＵＥのモビリティ測定値がモビリティ基準を満たさないと判断される場合に、フローは終了する。一方、ＵＥのモビリティ測定値がモビリティ基準を満たすと判断される場合に、フローはブロック５０８に進む。ブロック５０８では、ターゲットセル１００のサイズがセルサイズ基準を満たすか否かが判断される。例えば、実施形態では、ターゲットセル１００のサイズが閾値を満たす（例えば、これより小さいまたはこれ以下である）か否かが判断される。実施形態では、ＵＥ１０６は、図３について上述されたような適した技術を用いて、ターゲットセル１０１のサイズを判断する。
【００６２】
実施形態では、ターゲットセル１０１のサイズがセルサイズ基準を満たす場合に、ターゲットセル１０１は、スモールセルであると判断される。一方、実施形態では、ターゲットセル１０１のサイズがセルサイズ基準を満たさない場合に、ターゲットセル１０１は、スモールセルではないと判断される。
【００６３】
ターゲットセル１０１のサイズがセルサイズ基準を満たさないと判断される場合に、フローは終了する。一方、ターゲットセル１０１のサイズがセルサイズ基準を満たすと判断される場合に、フローはブロック５１２に進む。ブロック５０４および５０８の順序は、置換可能であり、または、複数のブロックは、図３について説明されたように、並列に実装されることができる。
【００６４】
実施形態では、ブロック５１２では、ＵＥ１０６は、セル１０１へのスイッチが回避される。実施形態では、例えば、ＵＥ１０６は、セル１０１をセル再選択プロシージャの一部として判断することが回避される。他の例として、実施形態では、ＵＥ１０６は、セル再選択プロシージャまたはハンドオーバ関連プロシージャの一部として、セル１０１の検出と関連付けられる複数の検出プロシージャを実行することが回避される。他の例として、実施形態では、ＵＥ１０６は、セル再選択プロシージャまたはハンドオーバ関連プロシージャの一部として、セル１０１に対応する複数の測定を実行することが回避される。
【００６５】
更に、または代替的に、セル１０１に対応する優先度は、ブロック５０８に対応するセルサイズ基準を満たさない複数のセルに対応する優先度よりも低く引き下げられる。例えば、実施形態では、セル１０１に対応する優先度は、複数のマクロセルに対応する優先度よりも低く引き下げられる。実施形態では、セル１０１に対応する優先度は、セル１０１に、セル再選択プロシージャに関連付けられる判断が全くなされないような値にまで引き下げられる。
【００６６】
図７は、実施形態に係る、接続セットアップの失敗、ハンドオーバの失敗または無線リンクの失敗のように接続を失敗した後、ＵＥがセルに再接続する（例えば、接続再確立を試行する）ことを許容するか否かを判断するための方法６００の例のフロー図である。実施形態では、方法６００は、ユーザデバイス、例えば、ＵＥ１０６によって実装され、方法６００は、例示のため、ＵＥ１０６との関連で説明される。他の複数の実施形態では、しかしながら、方法６００は、他の適したデバイスによって実装される。実施形態では、方法６００は、ＵＥ２１３によって実装される。例えば、実施形態では、方法６００は、ホスト２０８によって少なくとも部分的に実装される。他の例として、実施形態では、方法６００は、ネットワークインタフェースデバイス２０９によって少なくとも部分的に実装される。実施形態では、方法６００は、部分的にホスト２０８によって、部分的にネットワークインタフェースデバイス２０９によって実装される。
【００６７】
上述されたように、実施形態では、方法６００は、ＵＥ１０６がセル（例えば、スモールセル１０１）に接続していたが、接続を失敗した場合に実装される。実施形態では、方法６００は、ＵＥ１０６が前に接続されていたセルとの接続を再確立するべきか否かの判断に関する。
【００６８】
ブロック６０４では、ＵＥのモビリティ測定値がモビリティ基準を満たすか否かが判断される。例えば、実施形態では、ＵＥの速度が閾値を満たすか否か（例えば、これより大きいまたはこれ以上である）が判断される。実施形態では、ＵＥ１０６は、自己の速度を測定する。図３について上述されたような複数の技術を用いて、  他の実施形態では、ｅＮＢは、図３について上述されたような適した技術を用いて、ＵＥ１０６の速度を測定し、ＵＥ１０６に速度を報告する。いくつかの実施形態では、ＵＥのモビリティ測定値は、ＵＥが前に接続されていたセルに対するＵＥの相対速度である。実施形態では、モビリティ基準は、デバイスが前に接続されていたセルのサイズに応じて変化し、モビリティ基準は、セルのサイズを用いて判断される。
【００６９】
ＵＥのモビリティ測定値がモビリティ基準を満たさないと判断される場合に、フローは終了する。一方、ＵＥのモビリティ測定値がモビリティ基準を満たすと判断される場合に、フローはブロック６０８に進む。ブロック６０８では、ターゲットセル１００のサイズがセルサイズ基準を満たすか否かが判断される。例えば、実施形態では、ターゲットセル１００のサイズが閾値を満たす（例えば、これより小さいまたはこれ以下である）か否かが判断される。実施形態では、ＵＥ１０６は、図３について上述されたような適した技術を用いて、ターゲットセル１０１のサイズを判断する。
【００７０】
実施形態では、ターゲットセルのサイズがセルサイズ基準を満たす場合に、ターゲットセルは、スモールセルであると判断される。一方、実施形態では、ターゲットセルのサイズがセルサイズ基準を満たさない場合に、ターゲットセルは、スモールセルではないと判断される。
【００７１】
ターゲットセルのサイズがセルサイズ基準を満たさないと判断される場合に、フローは終了する。一方、ターゲットセルのサイズがセルサイズ基準を満たすと判断される場合に、フローはブロック６１２に進む。ブロック６０４および６０８の順序は、置換可能であり、または、複数のブロックは、図３について説明されたように、並列に実装されることができる。
【００７２】
実施形態では、ブロック６１２では、ＵＥ１０６は、セル１０１への接続を再確立する試行が回避される。
【００７３】
図３−７について上述された複数の方法は、様々な複数の態様で変更されてもよい。例えば、さらなる複数の方法ブロックが追加されてもよく、複数の方法ブロックは、変更または省略されてもよく、複数のブロックの順序は、変更されてもよい。例えば、図３では、ブロック３０４および３０８の順序は、逆であってもよく、図５では、ブロック４５４および４５８の順序は、逆であってもよい。同様に、図６では、ブロック５０４および５０８の順序は、逆であってもよく、図７では、ブロック６０４および６０８の順序は、逆であってもよい。他の複数の変形が、検討される。
【００７４】
上述された様々な複数のブロック、複数のオペレーション及び複数の技術の少なくともいくつかは、ハードウェア、複数のファームウェア命令を実行するプロセッサ、複数のソフトウェア命令を実行するプロセッサまたは任意のこれらの組み合わせを用いて実装されてもよい。ソフトウェアまたはファームウェア命令を実行するプロセッサを用いて実装される場合に、ソフトウェアまたはファームウェア命令は、任意のコンピュータ可読媒体または磁気ディスク、光ディスク、ＲＡＭまたはＲＯＭもしくはフラッシュメモリ等のような媒体に格納されてもよい。ソフトウェアまたはファームウェア命令は、プロセッサによって実行された場合に、プロセッサに様々な複数の動きを実行させる複数の機械可読命令を含んでもよい。
【００７５】
ハードウェアで実装される場合に、ハードウェアは、１つまたは複数の個別のコンポーネント、集積回路、特定用途向け集積回路（ＡＳＩＣ）、プログラマブルロジックデバイス（ＰＬＤ）等を備えてもよい。
【００７６】
複数の実施形態が、単に例示のために３ＧＰＰ  ＬＴＥとの関連で説明されたが、他の複数の実施形態では、セルラ（ＷｉＭＡＸ、ＵＭＴＳ  ＷＣＤＭＡ（登録商標）及びＣＤＭＡ２０００）及びＬＡＮ（ＷｉＦｉ）システムのような他の複数のタイプのシステムで、上述された複数の技術が用いられる。更に、上述された複数の実施形態の複数の態様が、同種無線ネットワークで実装されてもよい。
【００７７】
本発明のさらなる複数の態様は、以下の複数の節の１つまたは複数に関する。
【００７８】
実施形態では、無線ネットワークにおいて、第１のセルから第２のセルへのユーザデバイスのスイッチを制御する方法は、ユーザデバイスのモビリティ測定値がモビリティ基準を満たすか否かを判断する段階と、第２のセルのサイズがセルサイズ基準を満たすか否かを判断する段階と、（ｉ）ユーザデバイスのモビリティ測定値がモビリティ基準を満たし、かつ、（ｉｉ）第２のセルのサイズがセルサイズ基準を満たすと判断される場合に、ユーザデバイスが第１のセルから第２のセルにスイッチされることを回避する段階、または（ｉ）ユーザデバイスが第１のセルから第２のセルにスイッチする確率を変化させるために、ハンドオーバパラメータまたは（ｉｉ）セル再選択パラメータの少なくとも１つを調整する段階とを含む。
【００７９】
他の複数の実施形態では、方法は、以下の複数の節の１つまたは複数の任意の組み合わせを含む。
【００８０】
方法は、（ｉ）ユーザデバイスのモビリティ測定値がモビリティ基準を満たし、かつ、（ｉｉ）第２のセルのサイズがセルサイズ基準を満たすと判断される場合に、第１のセルがユーザデバイスに対してハンドオーバコマンドを発行することを回避する段階をさらに備える。
【００８１】
方法は、（ｉ）ユーザデバイスのモビリティ測定値がモビリティ基準を満たし、かつ、（ｉｉ）第２のセルのサイズがセルサイズ基準を満たすと判断される場合に、第１のセルが（ｉ）ユーザデバイスが第２のセルに対応するハンドオーバ測定を実行することを許容する、または（ｉｉ）ユーザデバイスが第２のセルに対応するセル再選択測定を実行することを許容することの少なくとも１つを回避することにより、第１のセルが、第１のセルから第２のセルへのユーザデバイスのスイッチを許容することを回避する段階をさらに備える。
【００８２】
方法は、（ｉ）ユーザデバイスのモビリティ測定値がモビリティ基準を満たし、かつ、（ｉｉ）第２のセルのサイズがセルサイズ基準を満たすと判断される場合に、ユーザデバイスが（ｉ）第２のセルをセル再選択プロシージャの一部として判断すること、（ｉｉ）セル再選択プロシージャまたはハンドオーバ関連プロシージャの一部として、第２のセルの検出と関連付けられる複数の検出プロシージャを実行すること、または（ｉｉｉ）セル再選択プロシージャまたはハンドオーバ関連プロシージャの一部として、第２のセルに対応する複数の測定を実行することの少なくとも１つを回避することにより、ユーザデバイスが、第１のセルから第２のセルへのユーザデバイスのスイッチを許容することを回避する段階をさらに備える。
【００８３】
方法は、（ｉ）ユーザデバイスのモビリティ測定値がモビリティ基準を満たし、かつ、（ｉｉ）第２のセルのサイズがセルサイズ基準を満たすと判断される場合に、第１のセルが、第１のセルから第２のセルへのユーザデバイスのスイッチを許容する確率を変化させるために、（ａ）第２のセルに対応する信号強度測定値が比較される第１の閾値を変更すること、または（ｂ）ハンドオーバ条件が満たされる期間に対応する持続時間が比較される第２の閾値を変更することの少なくとも１つにより、（ｉ）ハンドオーバパラメータまたは（ｉｉ）セル再選択パラメータの少なくとも１つを調整する段階をさらに備える。
【００８４】
方法は、第２のセルの信号強度に対応する閾値を少なくとも変更することにより、第２のセルに対応する信号強度測定値が比較される第１の閾値を変更する段階をさらに備える。
【００８５】
方法は、（ａ）第２のセルの信号強度の（ｂ）ユーザデバイスにおける累積受信電力に対する比較に対応する閾値を少なくとも変更することにより、第２のセルに対応する信号強度測定値が比較される第１の閾値を変更する段階をさらに備える。
【００８６】
方法は、（ｉ）ユーザデバイスのモビリティ測定値がモビリティ基準を満たし、かつ、（ｉｉ）第２のセルのサイズがセルサイズ基準を満たすと判断される場合に、第２のセルに関連付けられる優先度を、第１のセルに関連付けられるレベルよりも低いレベルにまで引き下げる段階をさらに備える。
【００８７】
ユーザデバイスのモビリティ測定値がモビリティ基準を満たすか否かを判断する段階は、ユーザデバイスの速度が閾値速度を満たすか否かを判断する段階を含む。
【００８８】
閾値速度は、第２のセルのサイズに応じて変化する。
【００８９】
ユーザデバイスの速度は、ユーザデバイス及び第２のセルの間の相対速度である。
【００９０】
第２のセルのサイズがセルサイズ基準を満たすか否かを判断する段階は、第２のセルの送信電力が送信電力基準を満たすか否かを判断する段階を含む。
【００９１】
無線ネットワークは、第１のセルが第２のセルのサイズと異なるサイズを有する異種ネットワークである。
【００９２】
他の実施形態では、装置は、無線ネットワークの第１のセル内にあるユーザデバイスのモビリティ測定値がモビリティ基準を満たすか否かを判断し、無線ネットワークの第１のセル内にあり、またはこれに隣接する第２のセルのサイズがセルサイズ基準を満たすか否かを判断し、（ｉ）ユーザデバイスのモビリティ測定値がモビリティ基準を満たし、かつ、（ｉｉ）第２のセルのサイズがセルサイズ基準を満たすと判断される場合に、第１のセルがユーザデバイスの第１のセルから第２のセルへのスイッチを許容することを回避し、または第１のセルがユーザデバイスの第１のセルから第２のセルへのスイッチを許容する確率を変化させるために、（ｉ）ハンドオーバパラメータまたは（ｉｉ）セル再選択パラメータの少なくとも１つを調整するように構成されるプロセッサを備える。
【００９３】
他の複数の実施形態では、装置は、以下の複数の節の１つまたは複数の任意の組み合わせを含む。
【００９４】
プロセッサは、（ａ）第１のセルがユーザデバイスにハンドオーバコマンドを発行すること、（ｂ）第２のセルがユーザデバイスのハンドオーバを受け入れること、または（ｃ）（ｉ）ユーザデバイスのモビリティ測定値がモビリティ基準を満たし、かつ、（ｉｉ）第２のセルのサイズがセルサイズ基準を満たすと判断される場合に、第２のセルがユーザデバイスの第２のセルに対する再選択を受け入れることの少なくとも１つを回避するように構成される。
【００９５】
プロセッサは、（ｉ）ユーザデバイスのモビリティ測定値がモビリティ基準を満たし、かつ、（ｉｉ）第２のセルのサイズがセルサイズ基準を満たすと判断される場合に、第１のセルが（ａ）ユーザデバイスが第２のセルに対応するハンドオーバ測定を実行することを許容すること、または（ｂ）ユーザデバイスが第２のセルに対応するセル再選択測定を実行することを許容することの少なくとも１つを回避することにより、第１のセルがユーザデバイスの第１のセルから第２のセルへのスイッチを許容することを回避するように構成される。
【００９６】
プロセッサは、ユーザデバイスに含まれ、プロセッサは、（ｉ）ユーザデバイスのモビリティ測定値がモビリティ基準を満たし、かつ、（ｉｉ）第２のセルのサイズがセルサイズ基準を満たすと判断される場合に、ユーザデバイスが、（ａ）第２のセルをセル再選択プロシージャの一部として判断すること、（ｂ）セル再選択プロシージャまたはハンドオーバ関連プロシージャの一部として、第２のセルの検出と関連付けられる複数の検出プロシージャを実行すること、または（ｃ）セル再選択プロシージャまたはハンドオーバ関連プロシージャの一部として、第２のセルに対応する複数の測定を実行することの少なくとも１つを回避することにより、ユーザデバイスが、第１のセルから第２のセルへのユーザデバイスのスイッチを許容することを回避するように構成される。
【００９７】
プロセッサは、（ｉ）ユーザデバイスのモビリティ測定値がモビリティ基準を満たし、かつ、（ｉｉ）第２のセルのサイズがセルサイズ基準を満たすと判断される場合に、第１のセルが、第１のセルから第２のセルへのユーザデバイスのスイッチを許容する確率を変化させるために、（ａ）第２のセルに対応する信号強度測定値が比較される第１の閾値を変更すること、または（ｂ）ハンドオーバ条件が満たされる期間に対応する持続時間が比較される第２の閾値を変更することの少なくとも１つにより、（ｉ）ハンドオーバパラメータまたは（ｉｉ）セル再選択パラメータの少なくとも１つを調整するように構成される。
【００９８】
プロセッサは、第２のセルの信号強度に対応する閾値を少なくとも変更することにより、第２のセルに対応する信号強度測定値が比較される第１の閾値を変化させるように構成される。
【００９９】
プロセッサは、（ａ）第２のセルの信号強度の（ｂ）ユーザデバイスにおける累積受信電力に対する比較に対応する閾値を少なくとも変更することにより、第２のセルに対応する信号強度測定値が比較される第１の閾値を変化させるように構成される。
【０１００】
プロセッサは、（ｉ）ユーザデバイスのモビリティ測定値がモビリティ基準を満たし、かつ、（ｉｉ）第２のセルのサイズがセルサイズ基準を満たすと判断される場合に、第２のセルに関連付けられる優先度を、第１のセルに関連付けられるレベルよりも低いレベルにまで低くするように構成される。
【０１０１】
装置は、プロセッサを含む基地局をさらに備える。
【０１０２】
他の実施形態では、無線ネットワークにおいて、第１のセルから第２のセルへのユーザデバイスのスイッチを制御する方法は、ユーザデバイスのモビリティ測定値がモビリティ基準を満たすか否かを判断する段階と、ユーザデバイスのモビリティ測定値がモビリティ基準を満たすと判断される場合に、ユーザデバイスが第２のセルに接続することを回避する段階とを含む。
【０１０３】
他の複数の実施形態では、方法は、以下の複数の節の１つまたは複数の任意の組み合わせを含む。
【０１０４】
ユーザデバイスが第２のセルに接続することを回避する段階は、第２のセルが、ユーザデバイスの第２のセルへのハンドオーバを受け入れない段階を備える。
【０１０５】
ユーザデバイスが第２のセルに接続することを回避する段階は、第２のセルが、ユーザデバイスによる第２のセルのセル再選択を受け入れない段階を備える。
【０１０６】
無線ネットワークは、第１のセルが第２のセルのサイズと異なるサイズを有する異種ネットワークである。
【０１０７】
他の実施形態では、装置は、セルにサービスする基地局を備え、基地局は、ユーザデバイスのモビリティ測定値がモビリティ基準を満たすか否かを判断し、ユーザデバイスのモビリティ測定値がモビリティ基準を満たすと判断される場合に、ユーザデバイスがセルに接続することを回避するように構成される。
【０１０８】
他の複数の実施形態では、装置は、以下の複数の節の１つまたは複数の任意の組み合わせを備える。
【０１０９】
基地局は、セルへのユーザデバイスのハンドオーバを受け入れないことにより、ユーザデバイスがセルに接続することを回避するように構成される。
【０１１０】
基地局は、ユーザデバイスによるセルのセル再選択を受け入れないことにより、ユーザデバイスがセルに接続することを回避するように構成される。
【０１１１】
他の実施形態では、無線ネットワークにおいて、第１のセルから第２のセルへのユーザデバイスのスイッチを制御する方法は、ユーザデバイスのモビリティ測定値がモビリティ基準を満たすか否かを判断する段階と、第２のセルのサイズがセルサイズ基準を満たすか否かを判断する段階と、（ｉ）ユーザデバイスのモビリティ測定値がモビリティ基準を満たし、かつ、（ｉｉ）第２のセルのサイズがセルサイズ基準を満たすと判断したことに応じて、ユーザデバイスを第２のセルにハンドオーバする段階を含む。
【０１１２】
他の複数の実施形態では、方法は、以下の複数の節の１つまたは複数の任意の組み合わせを含む。
【０１１３】
第２のセルのサイズがセルサイズ基準を満たすか否かを判断する段階は、第２のセルのサイズがセルサイズ閾値より大きいか否かを判断する段階を備える。
【０１１４】
無線ネットワークは、第１のセルが第２のセルのサイズと異なるサイズを有する異種ネットワークである。
【０１１５】
他の実施形態では、装置は、第１のセルにサービスする基地局を備え、基地局は、ユーザデバイスのモビリティ測定値がモビリティ基準を満たすか否かを判断し、第２のセルのサイズがセルサイズ基準を満たすか否かを判断し、（ｉ）ユーザデバイスのモビリティ測定値がモビリティ基準を満たし、かつ、（ｉｉ）第２のセルのサイズがセルサイズ基準を満たすと判断したことに応じて、ユーザデバイスを第２のセルにハンドオーバするように構成される。
【０１１６】
他の複数の実施形態では、装置は、以下の複数の節の１つまたは複数の任意の組み合わせを備える。
【０１１７】
基地局は、第２のセルのサイズがセルサイズ閾値より大きいか否かを判断することにより、第２のセルのサイズがセルサイズ基準を満たすか否かを判断するように構成される。
【０１１８】
他の実施形態では、セルとの接続の再確立を試行するか否かを判断するための方法は、ユーザデバイスのモビリティ測定値がモビリティ基準を満たすか否かを判断する段階と、ユーザデバイスは、前にセルとの接続を失敗したことがあり、セルのサイズがセルサイズ基準を満たすか否かを判断する段階と、（ｉ）ユーザデバイスのモビリティ測定値がモビリティ基準を満たし、かつ（ｉｉ）セルのサイズがセルサイズ基準を満たすと判断される場合に、ユーザデバイスがセルとの接続を再確立することを回避する段階とを含む。
【０１１９】
他の実施形態では、装置は、ユーザデバイスのモビリティ測定値がモビリティ基準を満たすか否かを判断するように構成されるプロセッサを備え、前にセルとの接続を失敗したことがあるユーザデバイスは、セルのサイズがセルサイズ基準を満たすか否かを判断し、（ｉ）ユーザデバイスのモビリティ測定値がモビリティ基準を満たし、かつ（ｉｉ）セルのサイズがセルサイズ基準を満たすと判断される場合に、ユーザデバイスがセルとの接続を再確立することを回避するプロセッサを含む。
【０１２０】
本発明の様々な複数の態様が具体的な複数の例を参照して記載されたが、これらは例示のみを意図するものであり、本発明を限定するものではなく、複数の変更、追加及び／または削除が、本発明の範囲を逸脱することなく、開示された複数の実施形態になされてもよい。本願によれば、以下の構成もまた開示される。
（項目１）
無線ネットワークにおいて、第１のセルから第２のセルへのユーザデバイスのスイッチを制御する方法であって、
前記ユーザデバイスのモビリティ測定値がモビリティ基準を満たすか否かを判断する段階と、
前記第２のセルのサイズがセルサイズ基準を満たすか否かを判断する段階と、
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、
前記ユーザデバイスが前記第１のセルから前記第２のセルにスイッチされることを回避する段階、または
（ｉ）前記ユーザデバイスが前記第１のセルから前記第２のセルにスイッチする確率を変化させるために、ハンドオーバパラメータまたは（ｉｉ）セル再選択パラメータの少なくとも１つを調整する段階と備える、方法。
（項目２）
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、前記第１のセルが前記ユーザデバイスに対してハンドオーバコマンドを発行することを回避する段階をさらに備える、項目１に記載の方法。
（項目３）
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、前記第１のセルが（ｉ）前記ユーザデバイスが前記第２のセルに対応するハンドオーバ測定を実行することを許容すること、または（ｉｉ）前記ユーザデバイスが前記第２のセルに対応するセル再選択測定を実行することを許容することの少なくとも１つを回避することにより、前記第１のセルが前記第１のセルから前記第２のセルへの前記ユーザデバイスのスイッチを許容することを回避する段階をさらに備える、項目１に記載の方法。
（項目４）
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、前記ユーザデバイスが、（ｉ）前記第２のセルをセル再選択プロシージャの一部として判断すること、（ｉｉ）セル再選択プロシージャまたはハンドオーバ関連プロシージャの一部として、前記第２のセルの検出と関連付けられる複数の検出プロシージャを実行すること、または（ｉｉｉ）セル再選択プロシージャまたはハンドオーバ関連プロシージャの一部として、前記第２のセルに対応する複数の測定を実行することの少なくとも１つを回避することにより、前記ユーザデバイスが、前記第１のセルから前記第２のセルへの前記ユーザデバイスのスイッチを許容することを回避する段階をさらに備える、項目１に記載の方法。
（項目５）
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、前記第１のセルが、前記第１のセルから前記第２のセルへの前記ユーザデバイスのスイッチを許容する前記確率を変化させるために、（ａ）前記第２のセルに対応する信号強度測定値が比較される第１の閾値を変更すること、または（ｂ）ハンドオーバ条件が満たされる期間に対応する持続時間が比較される第２の閾値を変更することの少なくとも１つにより、（ｉ）前記ハンドオーバパラメータまたは（ｉｉ）前記セル再選択パラメータの少なくとも１つを調整する段階をさらに備える、項目１に記載の方法。
（項目６）
前記第２のセルの信号強度に対応する閾値を少なくとも変更することにより、前記第２のセルに対応する前記信号強度測定値が比較される前記第１の閾値を変更する段階をさらに備える、項目５に記載の方法。
（項目７）
（ａ）前記第２のセルの信号強度の（ｂ）前記ユーザデバイスにおける累積受信電力に対する比較に対応する閾値を少なくとも変更することにより、前記第２のセルに対応する前記信号強度測定値が比較される前記第１の閾値を変更する段階をさらに備える、項目５に記載の方法。
（項目８）
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、前記第２のセルに関連付けられる優先度を、前記第１のセルに関連付けられるレベルよりも低いレベルにまで引き下げる段階をさらに備える、項目１から７のいずれか１項に記載の方法。
（項目９）
前記ユーザデバイスの前記モビリティ測定値が前記モビリティ基準を満たすか否かを判断する段階は、前記ユーザデバイスの速度が閾値速度を満たすか否かを判断する段階を含む、項目１から８のいずれか１項に記載の方法。
（項目１０）
前記閾値速度は、前記第２のセルの前記サイズに応じて変化する、項目９に記載の方法。
（項目１１）
前記ユーザデバイスの前記速度は、前記ユーザデバイス及び前記第２のセルの間の相対速度である、項目９または１０に記載の方法。
（項目１２）
前記第２のセルの前記サイズがセルサイズ基準を満たすか否かを判断する段階は、前記第２のセルの送信電力が送信電力基準を満たすか否かを判断する段階を含む、項目１から１１のいずれか１項に記載の方法。
（項目１３）
前記無線ネットワークは、前記第１のセルが前記第２のセルの前記サイズと異なるサイズを有する異種ネットワークである、項目１から１２のいずれか１項に記載の方法。
（項目１４）
無線ネットワークの第１のセル内にあるユーザデバイスのモビリティ測定値が、モビリティ基準を満たすか否かを判断し、
前記無線ネットワークの前記第１のセル内にあり、またはこれに隣接する第２のセルのサイズがセルサイズ基準を満たすか否かを判断し、
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、
前記第１のセルが前記ユーザデバイスの前記第１のセルから前記第２のセルへのスイッチを許容することを回避し、または
前記第１のセルが前記ユーザデバイスの前記第１のセルから前記第２のセルへのスイッチを許容する確率を変化させるために、（ｉ）ハンドオーバパラメータまたは（ｉｉ）セル再選択パラメータの少なくとも１つを調整するプロセッサを備える、装置。
（項目１５）
前記プロセッサは、
（ａ）前記第１のセルが前記ユーザデバイスにハンドオーバコマンドを発行すること、（ｂ）前記第２のセルが前記ユーザデバイスの前記ハンドオーバを受け入れること、または（ｃ）（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、前記第２のセルが前記ユーザデバイスの前記第２のセルに対する前記再選択を受け入れることの少なくとも１つを回避する、項目１４に記載の装置。
（項目１６）
前記プロセッサは、
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、
前記第１のセルが、（ａ）前記ユーザデバイスが前記第２のセルに対応するハンドオーバ測定を実行することを許容すること、または（ｂ）前記ユーザデバイスが前記第２のセルに対応するセル再選択測定を実行することを許容することの少なくとも１つを回避することにより、前記第１のセルが、前記ユーザデバイスの前記第１のセルから前記第２のセルへのスイッチを許容することを回避する、項目１４に記載の装置。
（項目１７）
前記プロセッサは、前記ユーザデバイスに含まれ、
前記プロセッサは、（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、前記ユーザデバイスが、（ａ）前記第２のセルをセル再選択プロシージャの一部として判断すること、（ｂ）セル再選択プロシージャまたはハンドオーバ関連プロシージャの一部として、前記第２のセルの検出と関連付けられる複数の検出プロシージャを実行すること、または（ｃ）セル再選択プロシージャまたはハンドオーバ関連プロシージャの一部として、前記第２のセルに対応する複数の測定を実行することの少なくとも１つを回避することにより、
前記ユーザデバイスが、前記第１のセルから前記第２のセルへの前記ユーザデバイスのスイッチを許容することを回避する、項目１４に記載の装置。
（項目１８）
前記プロセッサは、
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、前記第１のセルが、前記第１のセルから前記第２のセルへの前記ユーザデバイスのスイッチを許容する前記確率を変化させるために、（ａ）前記第２のセルに対応する信号強度測定値が比較される第１の閾値を変更すること、または（ｂ）ハンドオーバ条件が満たされる期間に対応する持続時間が比較される第２の閾値を変更することの少なくとも１つにより、
（ｉ）前記ハンドオーバパラメータまたは（ｉｉ）前記セル再選択パラメータの少なくとも１つを調整する、項目１４に記載の装置。
（項目１９）
前記プロセッサは、前記第２のセルの信号強度に対応する閾値を少なくとも変更することにより、前記第２のセルに対応する前記信号強度測定値が比較される前記第１の閾値を変化させる、項目１８に記載の装置。
（項目２０）
前記プロセッサは、（ａ）前記第２のセルの信号強度の（ｂ）前記ユーザデバイスにおける累積受信電力に対する比較に対応する閾値を少なくとも変更することにより、前記第２のセルに対応する前記信号強度測定値が比較される前記第１の閾値を変化させる、項目１８に記載の装置。
（項目２１）
前記プロセッサは、
（ｉ）前記ユーザデバイスの前記モビリティ測定値が前記モビリティ基準を満たし、かつ、（ｉｉ）前記第２のセルの前記サイズが前記セルサイズ基準を満たすと判断される場合に、
前記第２のセルに関連付けられる優先度を、前記第１のセルに関連付けられるレベルよりも低いレベルにまで低くする、項目１４から２０のいずれか１項に記載の装置。
（項目２２）
前記プロセッサを含む基地局をさらに備える、項目１４から２１のいずれか１項に記載の装置。
（項目２３）
無線ネットワークにおいて、第１のセルから第２のセルへのユーザデバイスのスイッチを制御する方法であって、
前記ユーザデバイスのモビリティ測定値がモビリティ基準を満たすか否かを判断する段階と、
前記ユーザデバイスの前記モビリティ測定値が前記モビリティ基準を満たすと判断される場合に、
前記ユーザデバイスが前記第２のセルに接続することを回避する段階とを備える、方法。
（項目２４）
前記ユーザデバイスが前記第２のセルに接続することを回避する段階は、前記第２のセルが、前記ユーザデバイスの前記第２のセルへのハンドオーバを受け入れない段階を備える、項目２３に記載の方法。
（項目２５）
前記ユーザデバイスが前記第２のセルに接続することを回避する段階は、前記第２のセルが、前記ユーザデバイスによる前記第２のセルのセル再選択を受け入れない段階を備える、項目２３に記載の方法。
（項目２６）
前記無線ネットワークは、前記第１のセルが前記第２のセルのサイズと異なるサイズを有する異種ネットワークである、項目２３から２５のいずれか１項に記載の方法。
（項目２７）
セルにサービスする基地局を備える装置であって、前記基地局は、
ユーザデバイスのモビリティ測定値がモビリティ基準を満たすか否かを判断し、
前記ユーザデバイスの前記モビリティ測定値が前記モビリティ基準を満たすと判断される場合に、
前記ユーザデバイスが前記セルに接続することを回避する、装置。
（項目２８）
前記基地局は、前記セルへの前記ユーザデバイスのハンドオーバを受け入れないことにより、前記ユーザデバイスが前記セルに接続することを回避する、項目２７に記載の装置。
（項目２９）
前記基地局は、前記ユーザデバイスによる前記セルのセル再選択を受け入れないことにより、前記ユーザデバイスが前記セルに接続することを回避する、項目２７に記載の装置。
（項目３０）
無線ネットワークにおいて、第１のセルから第２のセルへのユーザデバイスのスイッチを制御する方法であって、
前記ユーザデバイスのモビリティ測定値がモビリティ基準を満たすか否かを判断する段階と、
前記第２のセルのサイズがセルサイズ基準を満たすか否かを判断する段階と、
（ｉ）前記ユーザデバイスの前記モビリティ測定値が前記モビリティ基準を満たし、かつ、（ｉｉ）前記第２のセルの前記サイズが前記セルサイズ基準を満たすと判断したことに応じて、
前記ユーザデバイスを前記第２のセルにハンドオーバする段階とを備える、方法。
（項目３１）
前記第２のセルの前記サイズが前記セルサイズ基準を満たすか否かを判断する段階は、前記第２のセルの前記サイズがセルサイズ閾値より大きいか否かを判断する段階を備える、項目３０に記載の方法。
（項目３２）
前記無線ネットワークは、前記第１のセルが前記第２のセルの前記サイズと異なるサイズを有する異種ネットワークである、項目３０または３１に記載の方法。
（項目３３）
第１のセルにサービスする基地局を備える装置であって、前記基地局は、
ユーザデバイスのモビリティ測定値がモビリティ基準を満たすか否かを判断し、
第２のセルのサイズがセルサイズ基準を満たすか否かを判断し、
（ｉ）前記ユーザデバイスの前記モビリティ測定値が前記モビリティ基準を満たし、かつ、（ｉｉ）前記第２のセルの前記サイズが前記セルサイズ基準を満たすと判断したことに応じて、
前記ユーザデバイスを前記第２のセルにハンドオーバする、装置。
（項目３４）
前記基地局は、前記第２のセルの前記サイズがセルサイズ閾値より大きいか否かを判断することにより、前記第２のセルの前記サイズが前記セルサイズ基準を満たすか否かを判断する、項目３３に記載の装置。
（項目３５）
セルとの接続の再確立を試行するか否かを判断するための方法であって、
ユーザデバイスのモビリティ測定値がモビリティ基準を満たすか否かを判断する段階と、
前記ユーザデバイスは、前に前記セルとの接続を失敗したことがあり、前記セルのサイズがセルサイズ基準を満たすか否かを判断する段階と、
（ｉ）前記ユーザデバイスの前記モビリティ測定値が前記モビリティ基準を満たし、かつ（ｉｉ）前記セルの前記サイズが前記セルサイズ基準を満たすと判断される場合に、
前記ユーザデバイスが前記セルとの前記接続を再確立することを回避する段階とを備える、方法。
（項目３６）
プロセッサを含むユーザデバイスのモビリティ測定値がモビリティ基準を満たすか否かを判断し、
前記ユーザデバイスは、前にセルとの接続を失敗したことがあり、前記セルのサイズがセルサイズ基準を満たすか否かを判断し、
（ｉ）前記ユーザデバイスの前記モビリティ測定値が前記モビリティ基準を満たし、かつ（ｉｉ）前記セルの前記サイズが前記セルサイズ基準を満たすと判断される場合に、
前記ユーザデバイスが前記セルとの前記接続を再確立することを回避する、前記プロセッサを備える、装置。
【図１】
0006361060.tif 000002
【図２】
0006361060.tif 000003
【図３】
0006361060.tif 000004
【図４】
0006361060.tif 000005
【図５】
0006361060.tif 000006
【図６】
0006361060.tif 000007
【図７】
0006361060.tif 000008